(57)【要約】【課題】トレーをシャシに収納する際の操作感を向上させる光ディスク装置を提供する。【解決手段】シャシによって形成される箱形のシャシアセンブリと、光ディスクが装着され、前記シャシアセンブリ内に収納された状態と、前記シャシアセンブリから突出した状態との間を移動するトレーと、を備える光ディスク装置であって、前記シャシに実装される回路基板と、前記トレーに実装される回路基板とを接続し、その一部に他の部分より厚い補強部を設けた可撓性配線部材を備え、前記補強部は、前記シャシ側の端部の幅が他の部分の幅より狭いことことを特徴とする。【選択図】図３
2011165226.tif 000002
【特許請求の範囲】
【請求項１】
シャシによって形成される箱形のシャシアセンブリと、
光ディスクが装着され、前記シャシアセンブリ内に収納された状態と、前記シャシアセンブリから突出した状態との間を移動するトレーと、を備える光ディスク装置であって、
前記シャシに実装される回路基板と、前記トレーに実装される回路基板とを接続し、その一部に他の部分より厚い補強部を設けた可撓性配線部材を備え、
前記補強部は、前記シャシ側の端部の幅が他の部分の幅より狭いことことを特徴とする光ディスク装置。
【請求項２】
前記補強部のトレー側端部は、前記収納状態で、前記可撓性配線部材が屈曲される位置付近に設けられることを特徴とする請求項１に記載の光ディスク装置。
【請求項３】
前記補強部のシャシ側端部は、前記トレーが前記シャシアッセンブリから最大に突出した状態で、前記可撓性配線部材が屈曲される位置にかからないことを特徴とする請求項１又は２に記載の光ディスク装置。
【請求項４】
前記補強部の端部は、曲線で形成されることを特徴とする請求項１から３のいずれか一つに記載の光ディスク装置。
【請求項５】
前記補強部のシャシ側端部の角は、直線によって面取りされていることを特徴とする請求項１から３のいずれか一つに記載の光ディスク装置。
【請求項６】
前記補強部のトレー側端部の形状とシャシ側端部の形状とが異なることを特徴とする請求項１から５のいずれか一つに記載の光ディスク装置。
【請求項７】
前記補強部のトレー側端部は、前記可撓性配線部材が前記収納状態で屈曲される曲面の中心となる直線と略並行な直線を含んで構成されることを特徴とする請求項１から６のいずれか一つに記載の光ディスク装置。
【発明の詳細な説明】
【技術分野】
【０００１】
本発明は、光ディスク装置に関し、特に、トレーとシャシとを接続する配線部材の構造に関する。
【背景技術】
【０００２】
ＢＤ等の光ディスクに情報を読み書きする光ディスク装置において、トレーとシャシとを接続する配線部材には、フレキシブルフラットケーブル（ＦＦＣ）、フレキシブル基板（ＦＰＣ）等の可撓性が高い配線部材が使用されている。このフレキシブルフラットケーブル等の配線部材は、トレーをシャシに収納する際にトレーとシャシとの間に挟まって、配線部材を損傷することがあった。
【０００３】
このような配線部材の損傷を防止するために、幅方向に突出する補強部を設け、この区間の面積を増やすことによって、フレキシブル配線板の剛性を高めることが提案されている（例えば、特許文献１参照。）。また、フレキシブルケーブルの補強部の下面に、塗料を印刷して補強用膜を形成し、フレキシブルケーブルの補強部の剛性を向上させることが提案されている（例えば、特許文献２参照。）。
【先行技術文献】
【特許文献】
【０００４】
【特許文献１】特開２００３−１５８３４７号公報
【特許文献２】特開２００２−３２４３８９号公報
【発明の概要】
【発明が解決しようとする課題】
【０００５】
前述したように、従来の光ディスク装置の配線部材に設けられた補強の端面が配線部材の延伸方向に略直角であった。このため、トレーがシャシに収納され、配線部材の補強部が屈曲を開始する際に、配線部材の屈曲に対する反発力が変化した。この反発力の変化によって、トレーをシャシに収納する際にトレーを押す力が大きくなり、操作感が悪くなる場合があった。
【０００６】
また、補強部の位置によっては、トレーの突出量が確保できない場合があった。すなわち、トレーのロックが解除され、トレーがシャシから突出する場合、配線部材がトレーを後方に引っ張ることによって、トレーの突出量が抑えられる。すなわち、トレーを突出させるバネ力では、トレー突出時に配線部材の補強部が屈曲を開始することができず、補強部が屈曲を開始する手前で、トレーの突出が止まってしまうことがあった。
【０００７】
本発明は、トレーをシャシに収納する際の操作感を向上させる光ディスク装置を提供することを目的とする。
【課題を解決するための手段】
【０００８】
本発明の代表的な一例を示せば以下の通りである。すなわち、シャシによって形成される箱形のシャシアセンブリと、光ディスクが装着され、前記シャシアセンブリ内に収納された状態と、前記シャシアセンブリから突出した状態との間を移動するトレーと、を備える光ディスク装置であって、前記シャシに実装される回路基板と、前記トレーに実装される回路基板とを接続し、その一部に他の部分より厚い補強部を設けた可撓性配線部材を備え、前記補強部は、前記シャシ側の端部の幅が他の部分の幅より狭いことことを特徴とする。
【発明の効果】
【０００９】
本発明の実施の形態によると、トレーをシャシに収納する際の操作感を向上させることができる。
【図面の簡単な説明】
【００１０】
【図１】本発明の実施の形態の光ディスク装置のトップケースを外した状態を示す上面図である。
【図２】本発明の実施の形態の光ディスク装置のトップケースを外した状態を示す斜視図である。
【図３】本発明の実施の形態の光ディスク装置のフレキシブルフラットケーブルを示す斜視図である。
【図４】本発明の実施の形態の光ディスク装置のフレキシブルフラットケーブルを示す平面図である。
【図５】本発明の実施の形態の光ディスク装置のトレーオープン状態を示す縦断面図である。
【図６】本発明の実施の形態の光ディスク装置の中間状態を示す縦断面図である。
【図７】本発明の実施の形態の光ディスク装置の中間状態を示す縦断面図である。
【図８】本発明の実施の形態の光ディスク装置のトレー収納状態を示す縦断面図である。
【図９】本発明の実施の形態の光ディスク装置のフレキシブルフラットケーブルの変形例１を示す平面図である。
【図１０】本発明の実施の形態の光ディスク装置のフレキシブルフラットケーブルの変形例２を示す平面図である。
【図１１】本発明の実施の形態の光ディスク装置のフレキシブルフラットケーブルの変形例３を示す平面図である。
【図１２】本発明の実施の形態の光ディスク装置のフレキシブルフラットケーブルの変形例４を示す平面図である。
【図１３】本発明の実施の形態の光ディスク装置のフレキシブルフラットケーブルの変形例５を示す平面図である。
【発明を実施するための形態】
【００１１】
図１は、本発明の実施の形態の光ディスク装置のトレーオープン状態でトップケースを外した状態を示す上面図であり、図２は、その斜視図である。
【００１２】
本実施の形態の光ディスク装置は、光ディスクが装着されるトレー２０を収納する箱形のシャシ１０を備える。シャシ１０は、底面及び三つの壁面によって略箱形を形成する。シャシ１０の上面にはトップケース１６（図５参照）が取り付けられ、トレー２０が突出及び収納される開口部が正面に設けられた箱形のシャシアセンブリが形成される。
【００１３】
トレー２０はレール３１、３２によって、その左右を支持され、レール３１、３２と摺動可能に取り付けられている。シャシ１０の左右側面にはレール３１、３２が摺動する摺動部１１、１２が設けられている。トレー２０は、レール３１、３２及び摺動部１１、１２によって、シャシアセンブリ内からシャシアセンブリ外に突出するように移動する。
【００１４】
シャシ１０の内部には、ＦＦＣコネクタ１４、インターフェースコネクタ１５、インターフェース回路及び検出スイッチが実装されたプリント基板１３が収納される。インターフェースコネクタ１５は、ＳＡＴＡ、ＡＴＡ等の所定のプロトコルで計算機と接続するためのコネクタである。ＦＦＣコネクタ１４には、シャシ１０側の回路（プリント基板１３）とトレー２０側の回路（図５に示すプリント基板２１）とを接続するフレキシブルフラットケーブル４０が接続される。
【００１５】
可撓性を有する配線部材であるフレキシブルフラットケーブル４０は、シャシ側と接続される第１部４１及びトレー側と接続される第２部４２が重なるように形成されており、第１部４１及び第２部４２の接続部がテープ４８によってシャシ１０に固定されている。このため、図２に示すように、トレーオープン状態では、フレキシブルフラットケーブルの第２部４２の先端が折り返すように、第２部４２が屈曲されている。
【００１６】
図３は、本発明の実施の形態の光ディスク装置のフレキシブルフラットケーブル４０を示す斜視図であり、図４は、その平面図である。
【００１７】
フレキシブルフラットケーブル４０は、矩形断面の平型導体（金属線）を上下からプラスチックフイルムテープで挟み、一体に形成された可撓性を有する導電部材である。なお、以下の実施の形態では可撓性配線部材４０にフレキシブルフラットケーブル（ＦＦＣ）を用いた場合について説明するが、フレキシブル基板（ＦＰＣ）を用いてもよい。
【００１８】
フレキシブルフラットケーブル４０は、シャシ側と接続される第１部４１及びトレー側と接続される第２部４２を含む。第１部４１及び第２部４２は、折返部４３で折り返され、自然な状態では重なるように形成される。
【００１９】
フレキシブルフラットケーブル４０の第１部４１側の端部には、片面（図３では表面側）に櫛歯状に導体が露出した接続部４５が設けられている。接続部４５は、シャシ１０内のプリント基板１３上に設けられたＦＦＣコネクタ１４に接続される。フレキシブルフラットケーブル４０の第２部４２の端部には、片面（図３では裏面側）に櫛歯状に導体が露出した接続部４６が設けられている。接続部４６は、トレー２内のプリント基板上に設けられたＦＦＣコネクタ（図示省略）に接続される。
【００２０】
第２部４２の中程には、合成樹脂製の薄いシートで形成された補強シート４４が貼り付けられている。補強シート４４は、接続部４６側でその幅が広く、折返部４３側でその幅が狭くなっている。特に、図４に示すフレキシブルフラットケーブル４０では、幅広部４４１では補強シート４４の左右両辺がフレキシブルフラットケーブル４０の左右両辺と同じ位置になる幅を有するが、他端側の幅狭部４４２では補強シート４４の左右両辺がフレキシブルフラットケーブル４０の左右両辺から離れている。すなわち、略長方形の補強シート４４の下側の二つの頂点部が面取りされており、下辺４４４が上辺４４３より短くなっている。
【００２１】
このため、補強シート４４の幅広部４４１と幅狭部４４２とでは、フレキシブルフラットケーブル４０の曲げに対する剛性が異なる。すなわち、補強シート４４の幅広部では、フレキシブルフラットケーブル４０の曲げに対する反発力が大きく、フレキシブルフラットケーブル４０は大きな曲率半径を保って屈曲する。一方、補強シート４４の幅狭部とでは、フレキシブルフラットケーブル４０の曲げに対する剛性が小さく、フレキシブルフラットケーブル４０は小さな曲率半径で屈曲する。
【００２２】
補強シート４４を貼り付ける位置は図５から図８を用いて後述するが、トレー２０の端部がシャシアセンブリ内に収容された後、フレキシブルフラットケーブル４０が曲がり始める位置に、補強シート４４が貼り付けられる（図７参照）。
【００２３】
なお、図４に示すフレキシブルフラットケーブル４０では、補強シート４４の下端は直線であるが、例えば図１１に示すように曲線でも、例えば図１３に示すように頂点を形成してもよい。また、補強シート４４の各角を曲線にしてもよい。
【００２４】
なお、補強シート４４は、補強シート４４が貼り付けられた部分の曲げに対する剛性が高くなればよいので、合成樹脂の薄いシートに代わって、補強シート４４の形にフレキシブルフラットケーブル４０の被覆を厚くしたり、フレキシブルフラットケーブル４０の表面に補強用膜を形成してもよい。
【００２５】
図５から図８は、本発明の実施の形態の光ディスク装置の縦断面図であり、図５はトレー２０が最も引き出されたオープン状態を示し、図８はトレー収納状態を示し、図６及び図７は、その中間状態を示す。
【００２６】
図５に示すように、トレーオープン状態では、補強シート４４は、トレーオープン状態では、小さな曲率で曲げられた状態（又は、ほぼ平面の状態）にある。また、図６に示すように、トレー２０がシャシアセンブリに少し押し込まれた状態でも、補強シート４４は、小さな曲率で曲げられた状態（又は、ほぼ平面の状態）にある。すなわち、補強シート４４は、トレーオープン状態で、フレキシブルフラットケーブル４０が大きく屈曲される位置にかからないことが必要である。
【００２７】
これは、補強シート４４が貼り付けられた位置は、フレキシブルフラットケーブル４０の他の部分より、フレキシブルフラットケーブル４０が曲がり難いからである。このため、トレー２０の端部２０Ａとシャシの端部１０Ａとの間にフレキシブルフラットケーブル４０が挟まれることがない。
【００２８】
その後、図７に示すように、トレー２０の端部がシャシアセンブリの内部に収容されると、補強シート４４が貼り付けられた位置のフレキシブルフラットケーブル４０が曲がり始める。本実施の形態の補強シート４４は、折返部４３側の幅が狭くなっているので、補強シート４４が貼り付けられた位置のフレキシブルフラットケーブル４０が曲がり始めたときに、トレー２０を押し込むために必要な力が最初は小さく、徐々に大きくなり、急激に変化しない。このため、トレーをシャシに収納する際の操作感を向上させることができる。
【００２９】
最終的には、図８に示すように、トレー２０がシャシアセンブリに完全に収容された状態では、フレキシブルフラットケーブル４０の補強シート４４の上部が曲がることになる。
【００３０】
図９は、本発明の実施の形態の光ディスク装置のフレキシブルフラットケーブル４０の変形例１を示す平面図である。
【００３１】
変形例１のフレキシブルフラットケーブル４０では、前述した実施の形態と同様に、第２部４２の中程に、接続部４６側でその幅が広く、折返部４３側でその幅が狭くなっている補強シート４４が貼り付けられている。特に、変形例１のフレキシブルフラットケーブル４０は、幅広部４４１では補強シート４４の左右両辺がフレキシブルフラットケーブル４０の左右両辺と同じ位置になる幅を有し、他端側（幅狭部）４４２では補強シート４４の一辺（図９では、右辺）がフレキシブルフラットケーブル４０の一辺（図９では、右辺）から離れるように、補強シート４４が形成されている。すなわち、略長方形の補強シート４４の右下の頂点部が面取りされており、下辺４４４が上辺４４３より短くなっている。
【００３２】
なお、図９では、補強シート４４の右下部が欠けているが、左下部が欠けたものでもよい。
【００３３】
このように構成することによって、変形例１のフレキシブルフラットケーブル４０は、、折返部４３側の下端４４４から端子部４６側の上端４４３にかけて、補強シート４４の幅が徐々に広くなるので、トレーを収納する操作に必要な力は、最初は小さく、徐々に大きくなり、急に変化しない。
【００３４】
なお、変形例１のフレキシブルフラットケーブル４０では、補強シート４４の下端４４４は直線であるが、例えば図１１に示すように曲線でも、例えば図１３に示すように頂点を形成してもよい。また、補強シート４４の各角を曲線にしてもよい。
【００３５】
図１０は、本発明の実施の形態の光ディスク装置のフレキシブルフラットケーブル４０の変形例２を示す平面図である。
【００３６】
変形例２のフレキシブルフラットケーブル４０では、前述した実施の形態と同様に、第２部４２の中程には、接続部側でその幅が広く、折返部４３側でその幅が狭くなっている補強シート４４が貼り付けられている。特に、変形例２の補強シート４４は、幅広部４４１ではフレキシブルフラットケーブル４０の幅と同じ幅を有し、途中で幅が変化し、幅が変化する箇所から他端側にかけての幅狭部４４２では補強シート４４の一辺（図１０では、右辺）がフレキシブルフラットケーブル４０の一辺（図１０では、右辺）から離れた状態で、補強シート４４の幅が変化しない幅で（すなわち、幅狭部４４２では補強シート４４の右辺がフレキシブルフラットケーブル４０の辺と平行に）、補強シート４４が形成されている。すなわち、略長方形の補強シート４４の右下側が長方形によって切り欠かれており、下辺４４４が上辺４４３より短くなっている。
【００３７】
なお、図１０では、補強シート４４の右下が欠けているが、左下が欠けたものでもよい。
【００３８】
このように構成することによって、変形例２のフレキシブルフラットケーブル４０は、折返部４３側の下端４４４を含む幅狭部４４２の幅が、端子部４６側の上端４４３を含む幅広部４４１の幅より狭いので、トレーを収納する操作に必要な力は、最初は小さく、最終的にトレーが収納された状態では大きくなる。
【００３９】
なお、変形例２のフレキシブルフラットケーブル４０では、補強シート４４の下端４４４は直線であるが、例えば図１１に示すように曲線でも、例えば図１３に示すように頂点を形成してもよい。また、幅狭部４４２の幅を、上端側より下端側を狭くなるように、変えてもよい。さらに、補強シート４４の各角を曲線にしてもよい。
【００４０】
図１１は、本発明の実施の形態の光ディスク装置のフレキシブルフラットケーブル４０の変形例３を示す平面図である。
【００４１】
変形例３のフレキシブルフラットケーブル４０では、前述した実施の形態と同様に、第２部４２の中程に補強シート４４が貼り付けられている。特に、変形例３の補強シート４４は、略長方形の上端４４３及び下端４４４が曲線によって形成されている。すなわち、補強シート４４の中央の幅広部４４１はフレキシブルフラットケーブル４０と同じ幅を持ち、幅広部４４１の上側及び下側は、円弧（例えば、半円弧）となっている。このため、幅広部４４１から上端４４３及び下端４４４にかけて、補強シート４４の幅が徐々に狭くなる。
【００４２】
このように構成することによって、変形例３のフレキシブルフラットケーブル４０は、折返部４３側の下端４４４から中央の幅広部４４１にかけて、補強シート４４の幅が徐々に広くなるので、トレーを収納する操作に必要な力は、最初は小さく、徐々に大きくなる。
【００４３】
また、幅広部４４１の下側が半円であり、下端４４４が辺ではないので、フレキシブルフラットケーブル４０の屈曲に対する反発力が急激に変化することを防止することができる。
【００４４】
図１２は、本発明の実施の形態の光ディスク装置のフレキシブルフラットケーブルの変形例４を示す平面図である。
【００４５】
変形例４のフレキシブルフラットケーブル４０では、前述した実施の形態と同様に、第２部４２の中程に補強シート４４が貼り付けられている。特に、変形例４の補強シート４４は、略長方形の各角が大きく面取りされている。すなわち、補強シート４４の中央の幅広部４４１はフレキシブルフラットケーブル４０と同じ幅を持ち、幅広部４４１の上側及び下側は、幅広部４４１側を底辺とした台形となっている。このため、上端４４３及び下端４４４から幅広部４４１にかけて、補強シート４４の幅が徐々に広くなる。すなわち、略長方形の補強シート４４の四つの角が三角形によって切り欠かれており、上辺４４３及び下辺４４４が幅広部４４１の幅より狭くなっている。なお、幅広部４４１の上側及び下側の台形は、左右対称の等脚台形であるが、左右非対称の台形であってもよい。
【００４６】
このように構成することによって、変形例４のフレキシブルフラットケーブル４０は、折返部４３側の下端４４４から中央の幅広部４４１にかけて、補強シート４４の幅が徐々に広くなるので、トレーを収納する操作に必要な力は、最初は小さく、徐々に大きくなり、急に変化しない。
【００４７】
なお、変形例４のフレキシブルフラットケーブル４０は、補強シート４４の上端４４３及び下端４４４は直線であるが、曲線でもよい。また、補強シート４４の各角を曲線にしてもよい。
【００４８】
図１３は、本発明の実施の形態の光ディスク装置のフレキシブルフラットケーブルの変形例５を示す平面図である。
【００４９】
変形例５のフレキシブルフラットケーブル４０では、前述した実施の形態と同様に、第２部４２の中程に補強シート４４が貼り付けられている。特に、変形例５の補強シート４４は、略長方形の各角が大きく面取りされている。すなわち、補強シート４４の中央の幅広部４４１はフレキシブルフラットケーブル４０と同じ幅を持ち、幅広部４４１の上側が幅広部４４１側を底辺とした台形となっており、下側が三角形となっている。このため、上端４４３及び下端４４４から幅広部４４１にかけて、補強シート４４の幅が徐々に広くなる。すなわち、略長方形の四つの角が三角形によって切り欠かれており、上端４４３及び下端４４４が幅広部４４１の幅より短くなっている。なお、幅広部４４１の上側の台形は、左右対称の等脚台形であるが、左右非対称の台形であってもよい。また、幅広部４４１の下側の三角形は、左右対称の二等辺三角形であるが、左右非対称の三角形であってもよい。
【００５０】
このように構成することによって、変形例５のフレキシブルフラットケーブル４０は、折返部４３側の下端４４４から中央の幅広部４４１にかけて、補強シート４４の幅が徐々に広くなるので、トレーを収納する操作に必要な力は、最初は小さく、徐々に大きくなる。
【００５１】
また、幅広部４４１の上側が台形であり、上端４４３が直線となっているので、補強シート４４の上端４４３の貼付強度が確保でき、トレー２０の出し入れに伴う補強シート４４の屈曲が繰り返されることによる補強シート４４の上端４４３からの剥がれを防止することができる。
【００５２】
また、幅広部４４１の下側が三角形であり、下端４４４が頂点となっているので、フレキシブルフラットケーブル４０の屈曲に対する反発力が、補強シート４４によって急激に変化することを防止することができる。
【００５３】
本発明では、実施例及び変形例１から２のように、幅広部４４１は補強シート４４の上端に設けられていてもよいし、変形例３から５のように、幅広部４４１は補強シート４４の中央に設けられていてもよい。すなわち、本発明では、補強シート４４の折返部４３側の幅が他の部分より狭くなっていることが重要である。
【符号の説明】
【００５４】
１０  シャシ
１１、１２  摺動部
１３  プリント基板
１４  ＦＦＣコネクタ
１５  インターフェースコネクタ
１６  トップケース
２０  トレー
２１  プリント基板
３１、３２  レール
４０  フレキシブルフラットケーブル
４１  第１部（シャシ側）
４２  第２部（トレー側）
４３  折返部
４４  補強シート
４４１  幅広部
４４２  幅狭部
４４３  上端
４４４  下端
４５  接続部（シャシ側）
４６  接続部（トレー側）
４８  テープ
【図１】
2011165226.tif 000003
【図２】
2011165226.tif 000004
【図３】
2011165226.tif 000005
【図４】
2011165226.tif 000006
【図５】
2011165226.tif 000007
【図６】
2011165226.tif 000008
【図７】
2011165226.tif 000009
【図８】
2011165226.tif 000010
【図９】
2011165226.tif 000011
【図１０】
2011165226.tif 000012
【図１１】
2011165226.tif 000013
【図１２】
2011165226.tif 000014
【図１３】
2011165226.tif 000015